(57)【要約】【課題】  接続具２１と排水管１９（又は排水本管８の立ち上がり部９）との間から漏れ出す臭気を脱臭する。【解決手段】  排水管１９と立ち上がり部９とが接続具２１を介して接続された接続部２２を覆う防臭具２５は、床板５の上面に固定される環状水平壁２７とこの環状水平壁２７の縁部に立ち上がり形成された立ち上がり壁２８とを有する固定部材２９と、この固定部材２９の立ち上がり壁２８に下部が取り付けられると共に上部が排水管１９に密接するようになされた、接続部２２を覆う、臭気を吸着する機能を有する素材からなる覆い部材３０とを有している。【選択図】  図１
2005133352.tif 000002
【特許請求の範囲】
【請求項１】
水槽付きキャビネットの、水槽に接続された排水管と、建物側の排水本管の立ち上がり部とが接続具を介して接続された接続部の防臭具であって、床面に固定される環状水平壁とこの環状水平壁の縁部に立ち上がり形成された立ち上がり壁とを有する固定部材と、この固定部材の立ち上がり壁に下部が取り付けられると共に上部が排水管に密接するようになされた、接続部を覆う、臭気を吸着する機能を有する素材からなる覆い部材とを有している防臭具。
【請求項２】
前記覆い部材が固定部材及び排水管に対して着脱自在となされ、覆い部材の素材が、所定時間使用後において洗浄することにより臭気を吸着する機能を回復出来る素材である請求項１記載の防臭具。
【請求項３】
前記覆い部材の素材が、所定量の臭気を吸着すると色が変わる素材である請求項２記載の防臭具。
【請求項４】
前記覆い部材の上部が、水槽付きキャビネットの底板に形成された貫通孔を通じて底板の上方に露出するようになされている請求項１〜３のいずれかに記載の防臭具。
【発明の詳細な説明】
【技術分野】
【０００１】
本発明は、流し台・洗面台等の防臭具に関する。
【背景技術】
【０００２】
従来の水槽付きキャビネットの、水槽に接続された排水管と、建物側の排水本管の立ち上がり部とは、単に接続具を介して接続されただけであった。
【特許文献１】特開平９−７８，６４７号公報
【発明の開示】
【発明が解決しようとする課題】
【０００３】
前記従来の水槽付きキャビネットにおいては、接続具と排水管（又は排水本管の立ち上がり部）との間から漏れ出す臭気でキャビネット内や室内が臭くなるという欠点があった。
【課題を解決するための手段】
【０００４】
本発明は前記欠点を解消するために以下の如き手段を採用した。
（１）請求項１の発明は、水槽付きキャビネットの、水槽に接続された排水管と、建物側の排水本管の立ち上がり部とが接続具を介して接続された接続部の防臭具であって、床面に固定される環状水平壁とこの環状水平壁の縁部に立ち上がり形成された立ち上がり壁とを有する固定部材と、この固定部材の立ち上がり壁に下部が取り付けられると共に上部が排水管に密接するようになされた、接続部を覆う、臭気を吸着する機能を有する素材からなる覆い部材とを有しているものである。
（２）請求項２の発明は、前記覆い部材が固定部材及び排水管に対して着脱自在となされ、覆い部材の素材が、所定時間使用後において洗浄することにより臭気を吸着する機能を回復出来る素材である請求項１記載のものである。
（３）請求項３の発明は、前記覆い部材の素材が、所定量の臭気を吸着すると色が変わる素材である請求項２記載のものである。
（４）請求項４の発明は、前記覆い部材の上部が、水槽付きキャビネットの底板に形成された貫通孔を通じて底板の上方に露出するようになされている請求項１〜３のいずれかに記載のものである。
【発明の効果】
【０００５】
本発明は前記した如き構成によって以下の如き効果を奏する。
（１）請求項１の発明によれば、接続部から漏れ出す臭気を覆い部材により吸着してキャビネット内や室内に臭気が拡がるのを防止することが出来る。また、覆い部材が、床面に固定される固定部材に取り付けられると共に排水管に密接するようになされているので、即ち、覆い部材が排水管の動きを規制するので、水槽に接続された排水管や建物側の排水本管の立ち上がり部が接続具から外れにくくすることが出来る。
（２）請求項２の発明によれば、覆い部材を繰り返し使用することが出来る。
（３）請求項３の発明によれば、覆い部材の色により洗浄時期を簡単に知ることが出来る。
（４）請求項４の発明によれば、水槽付きキャビネットの物品収納空間の脱臭をも行うことが出来る。
【発明を実施するための最良の形態】
【０００６】
以下に本発明の実施の形態を説明する。
なお、この説明において、前とは図１紙面表側を、後とは同裏側をいい、左とは図１左側を、右とは同図右側をいう。
【０００７】
建物１の基礎床２の上に、根太（図示略）等を介して床板５が、基礎床２との間に空隙３をあけるようにして、施工されている。
【０００８】
前記床板５には上下方向に貫通する貫通孔６が形成され、この貫通孔６を通じて建物１側の排水本管８の立ち上がり部９の上部が床板５の上方に露出している。
【０００９】
床板５の上面には、周知の水槽付きキャビネット１１が載置されている。水槽付きキャビネット１１の底板１２と床板５との間には周知のごとく空隙１３が形成されている。前記空隙１３は、水槽付きキャビネット１１の底板１２、前側の蹴込板（図示略）、左右の側板（図示略）及び後側の背板（図示略）により囲まれている。前記底板１２の上方は物品収納空間１４となされ、その上方に水槽付きキャビネット１１の天板（図示略）が位置し、この天板に水槽（図示略）が設けられている。
【００１０】
前記底板１２には上下方向に貫通する開口１６が形成され、この開口１６は、開口１６に着脱自在な蓋１７により閉じられるようになされている。前記蓋１７に上下に貫通する貫通孔１８が形成されている。
【００１１】
前記水槽付きキャビネット１１の水槽の排水口に接続された排水管１９（図面では簡略して描いているが、一般的には蛇腹状の可撓性を有する排水管）が貫通孔１８を通じて空隙１３に至らされており、この排水管１９の下端部が接続具２１を介して立ち上がり部９に接続されている。
【００１２】
前記排水管１９と立ち上がり部９とが接続具２１を介して接続された接続部２２を覆う防臭具２５は、床板５の上面に固定される環状水平壁２７とこの環状水平壁２７の縁部に立ち上がり形成された立ち上がり壁２８とを有する固定部材２９と、この固定部材２９の立ち上がり壁２８に下部が取り付けられると共に上部が排水管１９に密接するようになされた、接続部２２を覆う、臭気を吸着する機能を有する素材からなる覆い部材３０とを有している。
【００１３】
前記覆い部材３０は上下部が開放した中空状の円錐台状をしている。覆い部材３０は取り付ける前の状態ではシートある。シートの形状は、前記円錐台を展開した本体部と、立体化した際相互に突き合う本体部の縁の一方に連設された重ね部（図２参照）とを有するものとなされている。前記重ね部は、連結・分離自在な周知の止め具（図示略）によって、重ね部が重なる本体部の縁部に連結・分離自在となされている。前記周知の止め具としては面接合ファスナーが好適である。面接合ファスナーは、多数のフックを有する第１シートと、第１シートに噛み合い・分離可能な多数のループを有する第２シートとを有している。周知のごとく、第１シートのフックと第２シートのループとを対向させて第１シートと第２シートとを押し付けると両者は結合し、両者に所定の引き裂き力を加えると両者は分離する。
面接合ファスナーを使用する場合、第１シートが重ね部に設けられ、第２シートが重ね部が重なる本体部の縁部に設けられる。
【００１４】
前記覆い部材３０の下部は、連結・分離自在な周知の止め具（図示略）によって、立ち上がり壁２８に着脱・自在に取り付けられる。前記周知の止め具としては面接合ファスナーが好適である。面接合ファスナーを使用する場合、第１シートが覆い部材３０の下部の内側面に設けられ、第２シートが立ち上がり壁２８の外周面に設けられる。なお、図面で明らかなごとく、立ち上がり壁２８は、覆い部材３０の形状に沿うように上方に向かって先細のテーパー状となされている。
【００１５】
前記覆い部材３０の素材は、臭気を吸着する機能を有するものであり、また、所定時間使用後において洗浄することにより臭気を吸着する機能を回復出来るものであり、更に、所定量の臭気を吸着すると色が変わるものである。
覆い部材３０の素材としては、イオウ系ガスを吸着する機能を有する繊維、酸やアルデヒド系のガスを吸着する機能を有する繊維、アンモニアを吸着する機能を有する繊維、ＶＯＣ（揮発性有機化合物）等を吸着する活性炭素繊維等の少なくとも１つを、望ましくは、複数の繊維を使用して製造した不織布が好適である。前記繊維としては、東洋紡績株式会社製の「セルファインＳ」（登録商標）、「セルファインＡ」（登録商標）、「セルファインＮ」（登録商標）が好適である。
【００１６】
以下に防臭具２５の取り付け方法を説明する。
水槽付きキャビネット１１を床板５上に設置する。その後、環状水平壁２７を立ち上がり部９に嵌めた後床板５に固定する。その後、蓋１７（底板１２に取り付けられていない）を排水管１９に嵌めると共に接続具２１を排水管１９に嵌める。その後、接続具２１を立ち上がり部９に嵌める。上記の準備作業の後、以下の本作業をする。
覆い部材３０を図示の状態にして、覆い部材３０の下部を立ち上がり壁２８に取り付け、覆い部材３０の重ね部を重ね部が重なる本体部の縁部に連結する。その後、蓋１７を底板１２に取り付ける。
前記の本作業と逆の作業により、覆い部材３０を取り外して洗浄することが出来る。洗浄の時期は蓋１７を外して覆い部材３０の色を見ることにより知ることが出来る。
【００１７】
以下に変形例等について説明を加える。
（１）連結・分離自在な周知の止め具は、ホック等であってもよい。
（２）実施の形態では、覆い部材３０の上部は底板１２の下方に位置しているが、覆い部材３０の上部が底板１２の上方に突出するように（物品収納空間１４内に突出するように）することも出来る。この場合、当然、覆い部材３０の上部が通過出来るように、貫通孔１８を大きなものとすることになる。
（３）蓋１７を無くす場合もある。この場合、開口１６の大きさは排水管１９が通過するだけの大きさであればよい。なお、覆い部材３０の上部が底板１２の上方に突出するように（物品収納空間１４内に突出するように）する場合は、当然、覆い部材３０の上部が通過出来るように、開口１６を大きなものとすることになる。この場合、水槽付きキャビネット１１と床板５との間に作業間隙をあけるべく両者の間にスペーサーを介在させた状態で、固定部材２９の床板５への固定作業、排水管１９と排水本管８の立ち上がり部９との接続具２１による接続作業、覆い部材３０による接続部２２の覆い作業を行い、それらの作業の後、スペーサーを外して水槽付きキャビネット１１を床板５に載置する。
【図面の簡単な説明】
【００１８】
【図１】本発明の実施の形態を示す要部の断面図である。
【図２】図１のＩＩ−ＩＩ線に沿う、排水管を省略した端面図である。
【符号の説明】
【００１９】
１  建物
８  排水本管
９  立ち上がり部
１１  水槽付きキャビネット
１９  排水管
２１  接続具
２２  接続部
２５  防臭具
２７  環状水平壁
２８  立ち上がり壁
２９  固定部材
３０  覆い部材
【図１】
2005133352.tif 000003
【図２】
2005133352.tif 000004